(57)【要約】      （修正有）【課題】コンパクト且つ簡易な構成で、車室内装材に対する組付け性と、シートベルトの装着性とを向上させる。【解決手段】リヤシート２のシートバック２１肩部近傍のシートサイドガーニッシュ３に設けられている筐体ベース５と、シートバック後方のリトラクタからシートバック及びシートサイドガーニッシュに沿ったウェビング４１が挿通されたシートベルトガイド部６と、シートベルトガイド部が固定されていると共に、筐体ベースに回動可能に支持され、シートベルトガイド部をシートバックの肩部上で旋回移動させて、ウェビングをシートバック及びシートサイドガーニッシュから離間させるアーム７と、アームが回転するようにアームに対して弾性力を付与するために、一方の腕８１が筐体ベースに係合され且つ他方の腕８２がアームに係合されるように筐体ベースに内設されているねじりコイルばね８と、アームを係止させる係止部材とを備えている。【選択図】図１
2018086924.tif 000002
【特許請求の範囲】
【請求項１】
リヤシートのシートバックの肩部近傍に位置する車室内装材に設けられ、前記シートバックの後方に配置されているリトラクタから引き出されて前記シートバック及び前記車室内装材に沿って掛け渡された状態にあるウェビングを当該シートバック及び前記車室内装材から車両前方側に離間させるシートベルトリーチャー装置であって、
前記車室内装材に設けられている筐体ベースと、
前記ウェビングが挿通された状態で係合されているシートベルトガイド部と、
前記シートベルトガイド部が固定されていると共に、前記筐体ベースに基端部が車幅方向で回動可能に支持され、当該シートベルトガイド部を前記シートバックの前記肩部上で旋回移動させるアームと、
前記アームが前記車両前方側から車両外側方向に向かう回転方向に回転するように当該アームに対して弾性力を付与するために、一方の腕が前記筐体ベースの一部位に係合され且つ他方の腕が前記アームに係合されるように当該筐体ベースに内設されているねじりコイルばねと、
前記筐体ベースの上部に設けられ、前記シートベルトガイド部が前記ウェビングを前記シートバック及び前記車室内装材から前記車両前方側に離間させる位置で前記アームを係止させる係止部材とを備えていることを特徴とするシートベルトリーチャー装置。
【請求項２】
前記アームを前記回転方向と逆の回転方向に回転させて前記シートベルトガイド部を車両後方側の所定位置に係止するために、前記アームの前記基端部の下面には係止凸部が形成され、前記筐体ベースの上面には前記アームが前記逆の回転方向から回転してくると前記係止凸部を徐々に上昇させる傾斜面を有する係止爪部が形成され、前記アームは弾性部材で構成されていることを特徴とする請求項１記載のシートベルトリーチャー装置。
【請求項３】
前記アームのアーム部は、前記基端部から上方向に傾斜した状態で延設されている傾斜部位と、前記傾斜部位から水平方向に延設され前記ベルトガイド部が固定される水平部位とから構成されていることを特徴とする請求項２記載のシートベルトリーチャー装置。
【請求項４】
前記シートベルトガイド部は、前記ウェビングを着脱自在な形状に形成されていることを特徴とする請求項２又は請求項３記載のシートベルトリーチャー装置。
【発明の詳細な説明】
【技術分野】
【０００１】
本発明は、リヤシートに着座した乗員がシートベルト装着の際におけるウェビングの取り出しを容易にするシートベルトリーチャー装置に関する。
【背景技術】
【０００２】
従来、リヤシートに着座した乗員がシートベルト装着の際におけるウェビングの取り出しを容易にするシートベルトリーチャー装置として、例えば、可倒式のシートバックをシートベルトと干渉させずに容易に前倒しにできるシートベルトのガイド構造（例えば、特許文献１参照。）や、後席シートに乗員が着座し、シートベルト装着を装着する際に、シートベルトのトング位置をシートバック面から前方側に移動させることで、バックルを容易に装着できるようにするシートベルト装置（例えば、特許文献２参照。）が開示されている。
【先行技術文献】
【特許文献】
【０００３】
【特許文献１】特開平１０−７１９２９号公報
【特許文献２】特開２０１０−６９９８２号公報
【発明の概要】
【発明が解決しようとする課題】
【０００４】
しかしながら、背景技術に記載したシートベルトのガイド構造では、リヤシートのシートバック側面のロックストライカに係合させて当該シートバックが前倒しされないようにロックするためのロックプレートと、ウェビングを所定の位置にガイドするベルトガイドとを連動させるための連動機構を設けなければならないので、連動機構の各構成部品を組み込むためのスペースをホイールハウストリム内に確保しなければならなくなるという難点があった。
【０００５】
また、背景技術に記載したシートベルト装置では、ドアの開閉動作に連動させてシートバック内に収容された張り出しアームを回動させるための張り出しアーム機構及びばね駆動部をシートバック内に設けると共に、ドアの開閉を利用してばね駆動部内に収容されたばねに所定の付勢力を付与するばね駆動部を制御する駆動力入力部をドア内に設けなければならないので、シートバック及びドアの構造が複雑化する難点があった。
【０００６】
また、このシートベルト装置では、張り出しアームをシートバックの下部位置の表面から前方に張り出させるので、乗員の座った位置によっては腰に張り出しアームが当たってしまう難点があった。
【０００７】
本発明は、このような従来の難点を解消するためになされたもので、コンパクト且つ簡易な構成で、車室内装材に対する組付け性と、シートベルトの装着性とを向上させることができるシートベルトリーチャー装置を提供することを目的とする。
【０００８】
また、本発明は、コンパクト且つ簡易な構成で、固定式シートバックの着脱作業や可倒式シートバックの前倒し作業の際、シートベルトガイド部材と干渉させることなく行うことができるシートベルトリーチャー装置を提供することを目的とする。
【課題を解決するための手段】
【０００９】
上述の目的を達成する本発明の第１の態様であるシートベルトリーチャー装置は、リヤシートのシートバックの肩部近傍に位置する車室内装材に設けられ、シートバックの後方に配置されているリトラクタから引き出されてシートバック及び車室内装材に沿って掛け渡された状態にあるウェビングを当該シートバック及び車室内装材から車両前方側に離間させるものである。
このシートベルトリーチャー装置は、筐体ベースと、シートベルトガイド部と、アームと、ねじりコイルばねと、係止部材とを備えているものである。なお、本明細書において「係止」とはかかわり合って止めることを意味する。
筐体ベースは、車室内装材に設けられているものである。
シートベルトガイド部は、ウェビングが挿通された状態で係合されているものである。なお、本明細書において「挿通」とは孔などの通路にさし通すことを意味する。
アームは、シートベルトガイド部が固定されていると共に、筐体ベースに基端部が車幅方向で回動可能に支持され、当該シートベルトガイド部をシートバックの肩部上で旋回移動させるものである。
ねじりコイルばねは、アームが車両前方側から車両外側方向に向かう回転方向に回転するように当該アームに対して弾性力を付与するために、一方の腕が筐体ベースの一部位に係合され且つ他方の腕がアームに係合されるように当該筐体ベースに内設されているものである。なお、本明細書において「内設」とは内蔵するように内側に設けることを意味する。
係止部材は、筐体ベースの上部に設けられ、シートベルトガイド部がウェビングをシートバック及び車両内装材から車両前方側に離間させる位置でアームを係止させるものである。
【００１０】
このような第１の態様であるシートベルトリーチャー装置によれば、常時は、ねじりコイルばねの弾性力によりアームが車両前方側から車両外側方向に向かう回転方向に弾発されていると共に、係止部材によってアームを係止させていることから、シートベルトガイド部がウェビングをシートバック及び車両内装材から車両前方側に離間させることができるので、アームの初期位置においてウェビングをシートバック及び車両内装材の表面から浮くように配置させることができる。
また、乗員がベルト装着のために、ウェビングに挿通されたタングを引っ張って、車両フロアまたはシートクッションに固定されているバックルに掛止させると、ねじりコイルばねの弾発力がリトラクタの巻取り力（引張り力）より弱く設定されていることから、アームをねじりコイルばねの弾発力に抗してリヤシートに着座した乗員の上体側に回転させることができる。
なお、リヤシートに着座した乗員がシートベルトをバックルから脱着させると、アームがねじりコイルばねの弾性力により車両内側方向から車両前方側に向かって回転するので、当該アームを係止部材によってシートベルトガイド部がウェビングをシートバック及び車両内装材から車両前方側に離間させる位置に係止させることができる。
【００１１】
本発明の第２の態様は第１の態様であるシートベルトリーチャー装置において、アームを回転方向と逆の回転方向に回転させてシートベルトガイド部を車両後方側の所定位置に係止するために、アームの基端部の下面には係止凸部が形成されているものである。なお、本明細書において「係止」とは係り合って止めることを意味する。
また、筐体ベースの上面にはアームが逆の回転方向から回転してくると係止凸部を徐々に上昇させる傾斜面を有する係止爪部が形成されているものである。
また、アームは弾性部材で構成されているものである。
【００１２】
このような第２の態様であるシートベルトリーチャー装置によれば、車両前方側から車両内側方向に向かう回転方向に回転させると、アームの基端部の下面に形成された係止凸部が筐体ベースの上面に形成された係止爪部までスムーズに回転させることができるので、シートベルトガイド部を車両後方側の所定位置まで移動させることができ、さらに、この移動位置で係止凸部が係止爪部に係止されるので、その移動位置にアーム及びシートベルトガイド部を維持させることができる。
また、アームは弾性部材で構成されていることから、シートベルトガイド部を上方に引き上げると、当該アームを撓ませることができるので、係止爪部に係止されている係止凸部を容易に当該係止爪部から解除させることができる。
【００１３】
本発明の第３の態様は第２の態様であるシートベルトリーチャー装置において、アームのアーム部は、基端部から上方向に傾斜した状態で延設されている傾斜部位と、傾斜部位から水平方向に延設されベルトガイド部が固定される水平部位とから構成されているものである。
このような第３の態様であるシートベルトリーチャー装置によれば、基端部と傾斜部位との屈曲点を撓ませるための撓み起点として用いることができるので、アームを撓ませ易くなる。
【００１４】
本発明の第４の態様は第２の態様又は第３の態様であるシートベルトリーチャー装置において、シートベルトガイド部は、ウェビングを着脱自在な形状に形成されているものである。
このような第３の態様であるシートベルトリーチャー装置によれば、シートバックの後方側にアーム及びシートベルトガイド部を維持させたときに、シートベルトガイド部からウェビングを外すことができる。
【発明の効果】
【００１５】
本発明のシートベルトリーチャー装置によれば、コンパクト且つ簡易な構成で、車室内装材に対する組付け性と、シートベルトの装着性とを向上させることができる。また、コンパクト且つ簡易な構成で、固定式シートバックの着脱作業や可倒式シートバックの前倒し作業の際、シートベルトガイド部材と干渉させることなく行うことができる。
【図面の簡単な説明】
【００１６】
【図１】本発明のシートベルトリーチャー装置における好ましい実施の形態を示す図で、（Ａ）は車室内において車体側壁に設置した状態の斜視図、（Ｂ）は上面図、（Ｃ）は側面図である。
【図２】本発明のシートベルトリーチャー装置と、リヤシートと、シートベルトと、リトラクタとの位置関係を示す側面図である。
【図３】図１に示されたシートベルトリーチャー装置の分解斜視図である。
【図４】本発明のシートベルトリーチャー装置の構成要素であるアーム及び筐体ベースそれぞれに形成された係止凸部及び係止爪部を示す図で、（Ａ）はシートベルトリーチャー装置の斜め上面から見た斜視図、（Ｂ）はアーム及びシートベルトガイド部を下方側から見たときの係止凸部を示す斜視図、（Ｂ）は（Ａ）の１点鎖線で囲んだＰ１部において筐体ベースを斜め上方側から見たときの係止爪部を示す部分斜視図である。
【図５】図１（Ａ）に示されたシートベルトリーチャー装置を平面視した状態における動作説明図である。
【図６】本発明のシートベルトリーチャー装置の構成要素であるアームの弾性特性を示す側断面図である。
【図７】図４に示された係止凸部が形成されたアーム及び係止爪部が形成された筐体ベースの簡易説明図で、（Ａ）は断面図、（Ｂ）は（Ａ）の１点鎖線で囲んだＰ２部の動作説明図、（Ｃ）は（Ｂ）の拡大図である。
【発明を実施するための形態】
【００１７】
以下、本発明のシートベルトリーチャー装置を実施するための形態例について、図面を参照して説明する。
本発明のシートベルトリーチャー装置は図１（Ａ）に示すように、リヤシート２のシートバック２１の肩部近傍に位置する車室内装材３に設けられ、シートバック２１の後方に配置されているリトラクタ４から引き出されてシートバック２１及び車室内装材３に沿って掛け渡された状態にあるウェビング４１を当該シートバック２１及び車室内装材３から車両前方側に離間させるものである。なお、図１（Ａ）においては、車室内装材３としてリヤシートの側部に隣接するシートサイドガーニッシュを使用している。
【００１８】
リヤシート２は図２に示すように、座部としてのシートクッション２２の車両後端に、当該シートクッション２の着座乗員の上体を背面側から支持するシートバック２１が設けられて構成されている。なお、本発明のシートベルトリーチャー装置１は、シートバック２１がシートクッション２２に対して前倒し可能に連結されている可倒式シートバック、及びシートバック２１がシートクッション２２に対して着脱自在に固定されている固定式シートバックの何れにおいても適用させることができる。
【００１９】
このリヤシート２には３点を１本のウェビングで結ぶ連結タイプである連続３点式シートベルトが適用され、この３点式シートベルトは図１（Ａ）、図２に示すように、ウェビング４１と共に、ウェビング４１を巻き取るリトラクタ４と、ウェビング４１に挿通されたスリップガイド４２と一体構造のタング４３と、タング４３を掛止するバックル４４とから構成され、リトラクタ４がシートバック２１の後方で車体に固定され、ウェビング４１の一端が車両フロア（図示せず。）またはリヤシート２のシートクッション２２に固定され、且つバックル４４が車両フロアまたはリヤシート２のシートクッション２２に固定されている。この３点式シートベルトはリヤシート２の左右両側の窓側にそれぞれ配置されている。
【００２０】
リトラクタ４は、ウェビング４１に作用する巻取り力（引張り力）によって当該ウェビング４１を巻き取るように付勢する構造で、ウェビング４１を水平状態で引き出すことができる。なお、本明細書において「付勢」とは勢いを増加することを意味する。
【００２１】
このようなリトラクタ４及び３点式シートベルトが配置されたリヤシート２に適用されるシートベルトリーチャー装置１は図１（Ｂ）、（Ｃ）、図３に示すように、筐体ベース５と、シートベルトガイド部６と、アーム７と、ねじりコイルばね８と、係止部材９とを備えているものである。
【００２２】
筐体ベース５は、シートサイドガーニッシュ３に形成された水平面部を有する台座３１に設けられ、上面側にはねじりコイルばね８を嵌め込むと共に所定深さで係止させることができる円形状の嵌合溝５１が形成されている。この筐体ベース５の材質としては、ポリアミド樹脂等のプラスチック樹脂が用いられる。
【００２３】
シートベルトガイド部６は、ウェビング４１が挿通された状態で係合されている。また、シートベルトガイド部６は、ウェビング４１を着脱自在な形状に形成されている。具体的には、シートベルトガイド部６には、ウェビング４１を挿通できる大きさのスリット６１が形成され、このスリット６１の両側部はそれぞれ円弧状に形成されている。この両側部に形成された円弧部６１ａ、６１ｂの向きは同一方向で図１（Ｃ）、図３中において上側に向かって弧を描くように形成されている。即ち、シートベルトリーチャー装置１をシートサイドガーニッシュ３に設置した場合に、この円弧部６１ａ、６１ｂは車両上方向に向かって弧を描くように形成されている。また、図１（Ｃ）、図３中において奥側になる円弧部６１ａの上端には水平方向に切り欠かれた切欠き部６１ｃが形成されている。スリット６１はこのように形成されているので、ウェビング４１を着脱自在にすると共に容易には外れないようにすることができる。
このシートベルトガイド部６の材質としては、ポリアセタール樹脂等のプラスチック樹脂が用いられる。
【００２４】
アーム７は、シートベルトガイド部６が固定されていると共に、筐体ベース５に基端部７１が車幅方向で回動可能に支持され、当該シートベルトガイド部６をシートバック２１の肩部上で旋回移動させる。具体的には、基端部７１がリング状の平板から形成され、この基端部７１から延設されたアーム部７２がシートベルトガイド部６を固定できるような長さで形成されている。なお、本明細書において、「延設」とは、一方向に延びるように設けることを意味する。アーム部７２は、基端部７１から上方向に傾斜した状態で延設されている傾斜部位７２ａと、傾斜部位７２ａから水平方向に延設されベルトガイド部６が固定される水平部位７２ｂとから構成されている。
【００２５】
ねじりコイルばね８は、その軸線まわりにねじり荷重を受け、一方の腕に伝達された荷重を他方の腕に伝達させることができることから、アーム７が車両前方側から車両外側方向に向かう回転方向に回転するように当該アーム７に対して弾性力を付与するために、一方の腕８１が筐体ベース５の一部位に係合され且つ他方の腕８２がアーム７に係合されるように当該筐体ベース５に内設されている。具体的には、ねじりコイルばね８は、一方の腕８１が筐体ベース５の溝５１の側壁に設けられた切欠き部５２に係合され、且つ他方の腕８２がアーム７の基端部７１に穿設された孔７１ａに嵌め込まれている。
【００２６】
係止部材９は図３、図４（Ａ）に示すように、筐体ベース５の上部に設けられ、シートベルトガイド部６がウェビング４１をシートバック２１及びシートサイドガーニッシュ３から車両前方側に離間させる位置でアーム７を係止させるものである。具体的には、係止部材９は、筐体ベース５の嵌合溝５１や切欠き部５２等を塞ぐための蓋として機能するように形成されていると共に、裏面にはねじりコイルばね８を巻装するための円筒スリーブ９１が突出するように形成されている。この円筒スリーブ９１はねじりコイルばね８を巻装した状態で、筐体ベース５の嵌合溝５１に嵌合させることができるような大きさに形成されている。また、円筒スリーブ９１の中空部は係止部材９の上面に貫通している。なお、本明細書において、「巻装」とは、外側を巻いた状態に装うことを意味する。
【００２７】
また、係止部材９の裏面には、シートベルトガイド部６がウェビング４１をシートバック２１及びシートサイドガーニッシュ３から車両前方側に離間させる位置でアーム７を係止させるための切欠き部９２が設けられている。この切欠き部９２内においてアーム７が回動することになる。また、係止部材９の裏面には、アーム７が回動するときの接触摩擦力を軽減するためのリブ９３が間隔を置いて複数個所に設けられている（図７（Ａ）、（Ｂ）参照。）。なお、図１（Ｂ）、（Ｃ）には、係止部材９の記載を省略している。
【００２８】
さらに、本発明のシートベルトリーチャー装置１は図４（Ａ）、（Ｂ）、（Ｃ）に示すように、アーム７を回転方向と逆の回転方向に回転させてシートベルトガイド部６を車両後方側の所定位置に係止するために、アーム７の基端部７１の下面には係止凸部７１ｂが形成されている。さらに、筐体ベース５の上面にはアーム７が逆の回転方向から回転してくると係止凸部７１ｂを徐々に上昇させる傾斜面５３ａを有する係止爪部５３が形成されている。係止爪部５３は、傾斜面５３ａの切欠き端が基端部７１の板面に向かって垂下する壁面５３ｂを有している。この壁面５３ｂに係止凸部７１ｂが係止されることになる。なお、ここで言う「アーム７を係止する所定位置」とは、アーム７及びシートベルトガイド部６が固定式シートバックの着脱作業や可倒式シートバックの前倒し作業の邪魔にならない退避位置である。また、アーム７は弾性部材で構成されている。この弾性部材としては、ばね用ステンレス鋼帯等の板ばねが好適である。
【００２９】
このように構成されたシートベルトリーチャー装置１をシートサイドガーニッシュ３に形成された水平面部を有する台座３１に設置するには、第１に、筐体ベース５を台座３１の所定位置に載置する。第２に、ねじりコイルばね８を筐体ベース５の嵌合溝５１に嵌合させると共に、スリーブカラー１１もねじりコイルばね８の内径側に位置するように嵌合溝５１に嵌合させる。この際、ねじりコイルばね８の一方の腕８１を、筐体ベース５の切欠き部５２に係合させ、他方の腕８２をアーム７の基端部７１に穿設された孔７１ａに嵌め込んでおく。第３に、アーム７の基端部７１を筐体ベース５の上面上の所定位置に載置させ、さらに、係止部材９で筐体ベース５の嵌合溝５１や切欠き部５２等を塞ぐように当該筐体ベース５上に載置する。この際、係止部材９の円筒スリーブ９１を、ねじりコイルばね８が巻装するように筐体ベース５の嵌合溝５１に嵌合させる。
【００３０】
最後に、座金付きボルト１２を係止部材９の上面側からスリーブカラー１１の中空部に挿入して、台座３１のねじ穴３１ａにねじ止めする。この際、座金付きボルト１２の座金部分で、係止部材９を筐体ベース５に押圧できるように当該係止部材に係止させることができるので、筐体ベース５、シートベルトガイド部６、アーム７、ねじりコイルばね８及び係止部材９から成るシートベルトリーチャー装置１を、シートサイドガーニッシュ３に形成された水平面部を有する台座３１に設置することができる。なお、係止部材９の上面に形成された蓋溝９４は蓋１３で塞ぐことで見栄えがよくなる。
【００３１】
このようにしてシートサイドガーニッシュ３に形成された水平面部を有する台座３１に、シートベルトリーチャー装置１を組み立てることができるので、シートサイドガーニッシュ３に対する組付け性が向上する。
【００３２】
このようなシートベルトリーチャー装置１の動作について、以下、図５、図６及び図７（Ａ）、（Ｂ）、（Ｃ）と共に図１（Ａ）、（Ｂ）、（Ｃ）及び図４を参照しながら説明する。なお、図５において矢印で方向を示してあるが、これは運転席に着座した乗員から見た方向を示している。矢印ＦＲは車両前方向、矢印ＯＵＴは車両外側方向をそれぞれ示している。
【００３３】
シートベルトリーチャー装置１は、常時は、ねじりコイルばね８の弾性力によりアーム７が車両前方側から車両外側方向に向かう回転方向に弾発されていると共に、係止部材９によってアーム７を係止させていることから、シートベルトガイド部６がウェビング４１をシートバック２１及びシートサイドガーニッシュ３から車両前方側に離間させることができるので、アーム７の初期位置においてウェビング４１をシートバック２１及びシートサイドガーニッシュ３の表面から浮くように配置させることができる。図５においては、実線で示したアーム７及びシートベルトガイド部６の位置である。したがって、リヤシート２に着座した乗員Ｃがシートベルト装着の際におけるウェビング４１の取り出しを容易にすることができる。
【００３４】
また、乗員Ｃがベルト装着のために、ウェビング４１に挿通されたタング４３を引っ張って、車両フロアまたはシートクッション２２に固定されているバックル４４に掛止させると、ねじりコイルばね８の弾発力がリトラクタ４の巻取り力（引張り力）より弱く設定されているので、アーム７をねじりコイルばね８の弾発力に抗してリヤシート２に着座した乗員Ｃの上体側に回転させることができる。図５においては、一点鎖線で示したアーム７及びシートベルトガイド部６の位置である。したがって、ウェビング４１の引き出し易さをアシストすると共に当該ウェビング４１で上体を拘束することができる。
【００３５】
なお、リヤシート２に着座した乗員Ｃがタング４３をバックル４４から脱着させると、アーム７がねじりコイルばね８の弾性力により車両内側方向から車両前方側に向かって回転するので、当該アーム７を係止部材９によってシートベルトガイド部６がウェビング４１をシートバック２１及びシートサイドガーニッシュ３から車両前方側に離間させる位置に係止させることができる。したがって、シートベルトの使用後は、アーム７を初期位置に自動的に戻すことができる。
【００３６】
また、車両前方側から車両内側方向に向かう回転方向に回転させると、アーム７の基端部７１の下面に形成された係止凸部７１ｂが筐体ベース５の上面に形成された係止爪部５３までスムーズに回転させることができるので、シートベルトガイド部６を車両後方側の所定位置まで移動させることができ、さらに、この移動位置で係止凸部７１ｂが係止爪部５３に係止されるので、その移動位置にアーム７及びシートベルトガイド部６を維持させることができる。図５においては、二点鎖線で示したアーム７及びシートベルトガイド部６の位置である。
【００３７】
したがって、シートバック２１の後方側にアーム７及びシートベルトガイド部６を維持させることができるので、固定式シートバックの着脱作業や可倒式シートバックの前倒し作業の際、アーム７及びシートベルトガイド部６と干渉させることなく行うことが可能になる。
【００３８】
また、アーム７は弾性部材で構成されていることから、シートベルトガイド部６を上方に引き上げると、当該アーム７を撓ませることができるので、係止爪部５３に係止されている係止凸部７１ｂを容易に当該係止爪部５３から解除させることができる（図６参照。）。なお、図６においては、引き上げ前のアーム７は実線で示し、引き上げたアーム７は一点鎖線で示している。したがって、アーム７がねじりコイルばね８の弾性力により車両内側方向から車両前方側に向かって回転するので、当該アーム７を初期位置に自動的に戻すことができる。
【００３９】
また、アーム７のアーム部７２に基端部７１から上方向に傾斜した状態で延設されている傾斜部位７２ａを設けることで、基端部７１と傾斜部位７２ａとの屈曲点を撓ませるための撓み起点として用いることができるので、アーム７を撓ませ易くなる。
【００４０】
また、シートベルトガイド部６を、ウェビング４１が着脱自在になるように形成することで、シートバック２１の後方側にアーム７及びシートベルトガイド部６を維持させたときに、シートベルトガイド部６からウェビング４１を外すことができる。したがって、固定式のシートバックの着脱作業や可倒式のシートバックの前倒し作業においてウェビングを干渉させずに行うことができる。
【００４１】
なお、本発明のシートベルトリーチャー装置は、上述のようにシートサイドガーニッシュに設けていたが、これに限らず、リヤシートのシートバックの肩部近傍に位置する車室内装材であるボディサイドトリムに設けてもよい。
【００４２】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【符号の説明】
【００４３】
１……シートベルトリーチャー装置
２……リヤシート
２１……シートバック
３……シートサイドガーニッシュ（車室内装材）
４……リトラクタ
４１……ウェビング
５……筐体ベース
５３……係止爪部
６……シートベルトガイド部
７……アーム
７１……基端部
７１ｂ……係止凸部
７２……アーム部
７２ａ……傾斜部位
７２ｂ……水平部位
８……ねじりコイルばね
８１……一方の腕
８２……他方の腕
９……係止部材
【図１】
2018086924.tif 000003
【図２】
2018086924.tif 000004
【図３】
2018086924.tif 000005
【図４】
2018086924.tif 000006
【図５】
2018086924.tif 000007
【図６】
2018086924.tif 000008
【図７】
2018086924.tif 000009